(57)【特許請求の範囲】
【請求項１】
光透過性基材に階調画像が形成され、前記階調画像は、前記光透過性基材に規則的に配置されたレリーフ模様を有する凹状の万線によって形成され、
前記レリーフ模様の高さが、原画像に対応した濃度ごとにｎ段階（ｎは２以上の整数）に変化して形成され、
前記レリーフ模様を有する凹状の万線の線間に、規則的に配置された凹状の万線が形成されたことを特徴とする画像形成体。
【請求項２】
光透過性基材の裏面に光反射性層を有する基材に階調画像が形成され、前記階調画像は、前記基材の表面である前記光透過性基材に、規則的に配置されたレリーフ模様を有する凹状の万線によって形成され、
前記レリーフ模様の高さが、原画像に対応した濃度ごとにｎ段階（ｎは２以上の整数）に変化して形成され、
前記レリーフ模様を有する凹状の万線の線間に、規則的に配置された凹状の万線が形成されたことを特徴とする画像形成体。
【請求項３】
前記規則的に配置されたレリーフ模様を有する凹状の万線は、第１の所定幅を有する凹状の線が第１の所定間隔、かつ、第１の所定方向に配列されて形成され、
前記レリーフ模様を有する凹状の万線の線間に、前記光透過性基材を規則的に配置された凹状の万線は、第２の所定幅を有する凹状の線が第２の所定間隔、かつ、第２の所定方向に配列され、
前記第１の所定間隔と前記第２の所定間隔が同一及び前記第１の所定方向と前記第２の所定方向が同一であることを特徴とする請求項１又は２記載の画像形成体。
【請求項４】
前記ｎ段階に変化する高さｈの最大値は、第１の所定間隔−第１の所定幅＞高さｈであることを特徴とする請求項３記載の画像形成体。
【請求項５】
前記第２の所定幅が、第１の所定間隔−第１の所定幅以下であることを特徴とする請求項３又は４記載の画像形成体。
【請求項６】
前記第１の所定幅と前記第２の所定幅の関係が、同一又は略同一であることを特徴とする請求項３、４又は５記載の画像形成体。
【請求項７】
前記第１の所定幅及び前記第２の所定幅が３０〜５００μｍで、前記第１の所定間隔及び前記第２の所定間隔が７０〜２０００μｍの範囲内であることを特徴とする請求項３、４、５又は６記載の画像形成体。
【請求項８】
前記レリーフ模様の高さが、原画像に対応した濃度ごとにｎ段階（ｎは３以上の整数）に変化して形成されたことを特徴とする請求項１、２、３、４、５、６又は７記載の画像形成体。
【請求項９】
前記ｎ段階に変化する高さｈの最小値は、規則的に配置されたレリーフ模様を有する凹状の万線を形成するための基準線の位置であることを特徴とする請求項１、２、３、４、５、６、７又は８記載の画像形成体。
【請求項１０】
前記レリーフ模様が、高さｈでｎ段階に変化する凹状の線と、前記基準線から変化しない凹状の線を結合線で連結され、前記結合線の角度が、基準線に対して０〜９０°の範囲であることを特徴とする請求項９記載の画像形成体。
【請求項１１】
画像形成体の作製方法において、
原画像である濃度値が定義された画素の集合体である階調画像データを取得する工程と、
基準線の方向及び間隔、レリーフの間隔の方向及び間隔を定義し、基準線及びレリーフの交点から得られる各基準座標Ｑ（０，０）、Ｑ（１，０）、・・・Ｑ（ｍ，ｎ）を生成する工程と、
前記各基準座標Ｑを階調画像データの画素位置の画素濃度に対応させ、前記階調画像データの濃度値に関連した位置に基準座標Ｑ（０，０）、Ｑ（１，０）、・・・Ｑ（ｍ，ｎ）をレリーフ座標ｑ（０，０）、ｑ（１，０）、・・・ｑ（ｍ，ｎ）に変換し、レリーフ階調画像データを生成する工程と、
前記基準線と同一の方向及び間隔で万線データを生成する工程と、
前記レリーフ階調画像データと前記万線データの各画線を交互に配列させ、万線レリーフ階調画像データを生成する工程と、
光透過性基材又は光透過性基材の裏面に光反射性層を有する基材の表面に前記万線レリーフ階調画像データを基に凹状の線から成る階調画像を形成する工程によって形成される画像形成体の作製方法。
【請求項１２】
画像形成体の作製方法において、
原画像である濃度値が定義された画素の集合体である階調画像データを取得する工程と、
基準線の方向及び間隔、レリーフの間隔の方向及び間隔を定義し、基準線及びレリーフの交点から得られる各基準座標Ｑ（０，０）、Ｑ（１，０）、・・・Ｑ（ｍ，ｎ）を生成する工程と、
前記各基準座標Ｑを階調画像データの画素位置の画素濃度に対応させ、前記階調画像データの濃度値に関連した位置に基準座標Ｑ（０，０）、Ｑ（１，０）、・・・Ｑ（ｍ，ｎ）をレリーフ座標ｑ（０，０）、ｑ（１，０）、・・・ｑ（ｍ，ｎ）に変換する工程と、
前記レリーフ座標ｑを連結線によって結合してレリーフ階調画像データを生成する工程と、
前記基準線と同一の方向及び間隔で万線データを生成する工程と、
前記レリーフ階調画像データと前記万線データの各画線を交互に配列させ、万線レリーフ階調画像データを生成する工程と、
光透過性基材又は光透過性基材の裏面に光反射性層を有する基材の表面に前記万線レリーフ階調画像データを基に凹状の線から成る階調画像を形成する工程によって形成される画像形成体の作製方法。
【発明の詳細な説明】
【技術分野】
【０００１】
本発明は、銀行券、有価証券、通行券、パスポート、商品券、カード、商品タグ又はブランドプロテクション等の偽造防止、真偽判別、複写防止が必要とされる貴重品に適用する画像形成体及びその作製方法に関するものである。
【背景技術】
【０００２】
銀行券、有価証券、通行券、パスポート、商品券、カード、商品タグ又はブランドプロテクション等は、その性質上、偽造及び変造されにくいことが要求される。このような偽造防止策として、貴重品に微細な画線の集合体によって印刷模様が施されている。例えば、レリーフ模様が挙げられる。レリーフ模様とは、モチーフとなる三次元的な画像を、二次元平面に複数の微細な画線の集合体によって表現した模様である。
【０００３】
さらに、貴重品を所定の条件で観察することによって潜像画像を認識できるようにして真偽判別を行う技術が知られている。例えば、凹凸基材と印刷画線を利用する技術、基材表裏の印刷画線を利用する技術、貴重品に判別具を重ね合わせることで潜像画像が確認できる技術、光反射性層及び光透過性層が積層された基材に特定の深さを有する凹状又は貫通孔を形成する技術等が挙げられる。
【０００４】
前述の凹凸基材と印刷画線を利用して潜像画像を出現させる技術としては、例えば、各種万線模様又はレリーフ模様及びそれら双方の模様のいずれかの凹凸形状を有する素材と、素材の色及び無色透明以外の異なった他の色による一定な間隔を持つ各種万線画線又は網点画線及びそれら双方の画線のいずれかを組み合わせることによって、印刷物を傾けて観察する時にのみ特定の文字及び図柄などが認識できるようにした潜像模様形成体とその作製方法が開示されている（例えば、特許文献１参照）。
【０００５】
基材表裏の印刷画線を利用する技術としては、例えば、光を透過する被印刷体の表裏いずれか一方に万線模様を印刷し、他方には、前記一方の万線模様の線配列と同期した線配列で、かつ、前記一方の万線模様の線配列に対して垂直方向に同程度の画線幅を有する模様を印刷した印刷物であって、他方に印刷する模様に施した潜像とする画像情報が、一方の万線模様の線配列の垂直方向の画線と画線の間の非画線部分に対し、潜像とする画像情報の濃淡に従ってずれを与え、かつ、前記のずれが、潜像としたい連続階調を有する画像情報の最低濃度から最高濃度までを前記一方の万線模様の線配列の垂直方向の画線と画線の間の非画線部分の範囲内でずれており、更に他方に印刷する模様のうち、潜像とする画像情報が施されていない部分の画線と、一方の万線模様の画線が表裏で印刷位置が対象的に合致するように印刷したことを特徴とする、光で透かして見ると表裏の模様が合成され、潜像が連続階調の顕像として出現する表裏模様合成印刷物が開示されている（例えば、特許文献２参照）。
【０００６】
さらに、光透過性を有する基材上の表面に、微細な線画から構成される基本画像を設け、前記基本画像は、背景画像部と少なくとも一つ以上の潜像画像を施したメッセージ画像部とに区分けされ、前記背景画像部と前記メッセージ画像部は肉眼で区別することのできない微細な線画から構成され、前記背景画像部と前記メッセージ画像部との線画の配列方向の角度が異なり、かつ、光透過性を有する基材上の裏面に、前記基本画像と同様の画像を有し、前記基本画像と前記裏面の同様の画像とが同一の領域で一致して重なり合うように印刷された印刷物が開示されている（例えば、特許文献３参照）。
【０００７】
貴重品に判別具を重ね合わせることで潜像画像が確認できる技術としては、例えば、背景部と、規則的な万線状パターンを有する複数の判別パターン部を有し、前記複数の判別パターンの万線状パターンの角度がそれぞれ異なることを特徴とする印刷物に、前記印刷物の万線状パターンと干渉するピッチの万線状パターンを有する判別具を載せて、前記判別具を回転させることにより、複数の画像が出現することを特徴とする印刷物、判別具、画像の形成方法及び複写物の判別方法が開示されている（例えば、特許文献４参照）。
【０００８】
光反射性層及び光透過性層が積層された基材に特定の深さを有する凹状又は貫通孔を形成する技術としては、例えば、光反射性層及び光透過性層が積層された基材に、前記光透過性層の表面に特定間隔で配列された画素によって基本画像が形成され、前記基本画像は第１の領域と第２の領域に区分けされ、前記画素は、特定の深さを有する凹状又は貫通孔で、かつ、前記画素のエッジ部は前記光透過性層の表面よりも隆起した隆起部が形成され、前記第１の領域を形成する画素と前記第２の領域を形成する画素は、形状、大きさ又は画素の角度が異なってなる画像形成体が開示されている（例えば、特許文献５参照）。
【０００９】
【特許文献１】特許第２６１５４０１号公報（第１−４頁、第１−７図）
【特許文献２】特公平８−１３５６８号公報（第１−４頁、第１−１１図）
【特許文献３】特開２００２−１５４２６２公報（第１−４頁、第１、２図）
【特許文献４】特開平１０−２９７０７７公報（第１−３頁、第１−１１図）
【特許文献５】特開２００６−２２４４１６公報（第１−８頁、第１−１２図）
【発明の開示】
【発明が解決しようとする課題】
【００１０】
引用文献１乃至４は、総じて、潜像画像を出現させるためには印刷画線を用いることが必須である。しかしながら、近年、市販の複写機及びプリンタによる貴重品の偽造事件が頻繁に発生しており、家庭用機器の性能向上に伴って手軽な偽造の危険性が高まりつつある。よって、印刷画線を用いることなく潜像画像を形成する技術が求められている。
【００１１】
引用文献２は、表裏に印刷模様を形成する必要があり、表裏を印刷する製造工程が必要であり、更に精密な表裏の位置合せが必要であった。
【００１２】
引用文献１乃至４は、観察する角度又は判別具を重ねる角度によって、画線の見え及び隠れによって潜像画像が視認されるものであり、潜像画像の明暗（ネガ画像／ポジ画像）が変化するものではなかった。
【００１３】
引用文献１乃至３は、潜像画像を出現させるためには、基材を傾ける角度が限定され、傾ける角度が浅い角度では潜像画像を視認することが困難であった。仮に、浅い角度で潜像画像が視認できるものを作製するには、潜像画像を形成する画線とその周辺の背景画像を形成する画線の凹凸を大きくしなければならないため、実質上、作製困難であった。
【００１４】
引用文献４及び引用文献５は視認される潜像画像が連続階調を有するものではく、潜像画像として複雑なデザインが採用しにくい問題があった。さらに、引用文献４は、潜像画像を出現させるために判別具が必須であり、判別具を携帯しなければならない問題があった。引用文献５は、潜像画像を出現させるためには印刷画線を用いることなく、凹状又は貫通孔で形成しているが、光反射性層及び光透過性層が積層された基材は必要であったため、基材のコストが高いという問題があった。
【００１５】
本発明は、このような従来の問題を解決することを目的としたもので、印刷画線で形成する画線の見え及び隠れによって潜像画像が視認されるものではなく、基材の表裏に印刷模様を形成することなく、判別具を重ねることなく、光反射性層及び光透過性層が積層された基材を用いることなく、基材を深い角度で傾けなくとも潜像画像が確認でき、基材を傾ける角度によっては潜像画像の明暗（ネガ画像／ポジ画像）が変化し、更に出現する潜像画像は連続階調を有する複雑なデザインが採用可能な画像形成体及びその作製方法を提案することを目的とする。
【課題を解決するための手段】
【００１６】
本発明は、光透過性基材に階調画像が形成され、階調画像は、光透過性基材に規則的に配置されたレリーフ模様を有する凹状の万線によって形成され、レリーフ模様の高さが、原画像に対応した濃度ごとにｎ段階（ｎは２以上の整数）に変化して形成され、レリーフ模様を有する凹状の万線の線間に、規則的に配置された凹状の万線が形成されたことを特徴とする画像形成体である。
【００１７】
また、本発明は、光透過性基材の裏面に光反射性層を有する基材に階調画像が形成され、階調画像は、基材の表面である光透過性基材に、規則的に配置されたレリーフ模様を有する凹状の万線によって形成され、レリーフ模様の高さが、原画像に対応した濃度ごとにｎ段階（ｎは２以上の整数）に変化して形成され、レリーフ模様を有する凹状の万線の線間に、規則的に配置された凹状の万線が形成されたことを特徴とする画像形成体である。
【００１８】
また、本発明の規則的に配置されたレリーフ模様を有する凹状の万線は、第１の所定幅を有する凹状の線が第１の所定間隔、かつ、第１の所定方向に配列されて形成され、レリーフ模様を有する凹状の万線の線間に光透過性基材を規則的に配置された凹状の万線は、第２の所定幅を有する凹状の線が第２の所定間隔、かつ、第２の所定方向に配列され、第１の所定間隔と第２の所定間隔が同一及び第１の所定方向と第２の所定方向が同一であることを特徴とする画像形成体である。
【００１９】
また、本発明は、レリーフ模様の高さが、原画像に対応した濃度ごとにｎ段階（ｎは３以上の整数）に変化して形成されたことを特徴とする画像形成体である。
【００２０】
また、本発明のｎ段階に変化する高さｈの最大値は、第１の所定間隔−第１の所定幅＞高さｈであることを特徴とする画像形成体である。
【００２１】
また、本発明のｎ段階に変化する高さｈの最小値は、規則的に配置されたレリーフ模様を有する凹状の万線を形成するための基準線の位置であることを特徴とする画像形成体である。
【００２２】
また、本発明は、レリーフが高さｈでｎ段階に変化する凹状の線と、基準線から変化しない凹状の線を結合線で連結され、結合線の角度が、基準線に対して０〜９０°の範囲であることを特徴とする画像形成体である。
【００２３】
また、本発明は、第２の所定幅が、第１の所定間隔−第１の所定幅以下であることを特徴とする画像形成体である。
【００２４】
また、本発明は、第１の所定幅と、第２の所定幅の関係が同一又は略同一であることを特徴とする画像形成体である。
【００２５】
また、本発明は、第１の所定幅及び前記第２の所定幅が３０〜５００μｍで、第１の所定間隔及び第２の所定間隔が７０〜２０００μｍの範囲内であることを特徴とする画像形成体である。
【００２６】
また、本発明は、原画像である濃度値が定義された画素の集合体である階調画像データを取得する工程と、基準線の方向及び間隔、レリーフの間隔の方向及び間隔を定義し、基準線及びレリーフの交点から得られる各基準座標Ｑ（０，０）、Ｑ（１， ０）、・・・Ｑ（ｍ，ｎ）を生成する工程と、各基準座標Ｑを階調画像データの画素位置の画素濃度に対応させ、階調画像データの濃度値に関連した位置に基準座標Ｑ（０，０）、Ｑ（１，０）、・・・Ｑ（ｍ，ｎ）をレリーフ座標ｑ（０，０）、ｑ（１，０）、・・・ｑ（ｍ，ｎ）に変換し、レリーフ階調画像データを生成する工程と、基準線と同一の方向及び間隔で万線データを生成する工程と、レリーフ階調画像データと万線データの各画線を交互に配列させ、万線レリーフ階調画像データを生成する工程と、光透過性基材又は光透過性基材の裏面に光反射性層を有する基材の表面に、万線レリーフ階調画像データを基に凹状の線から成る階調画像を形成する工程によって形成される画像形成体の作製方法である。
【００２７】
また、本発明は、原画像である濃度値が定義された画素の集合体である階調画像データを取得する工程と、基準線の方向及び間隔、レリーフの間隔の方向及び間隔を定義し、基準線及びレリーフの交点から得られる各基準座標Ｑ（０，０）、Ｑ（１，０）、・・・Ｑ（ｍ，ｎ）を生成する工程と、各基準座標Ｑを階調画像データの画素位置の画素濃度に対応させ、階調画像データの濃度値に関連した位置に基準座標Ｑ（０，０）、Ｑ（１，０）、・・・Ｑ（ｍ，ｎ）をレリーフ座標ｑ（０，０）、ｑ（１，０）、・・・ｑ（ｍ，ｎ）に変換する工程と、レリーフ座標ｑを連結線によって結合してレリーフ階調画像データを生成する工程と、基準線と同一の方向及び間隔で万線データを生成する工程と、レリーフ階調画像データと万線データの各画線を交互に配列させ、万線レリーフ階調画像データを生成する工程と、光透過性基材又は光透過性基材の裏面に光反射性層を有する基材の表面に，万線レリーフ階調画像データを基に凹状の線から成る階調画像を形成する工程によって形成される画像形成体の作製方法である。
【発明の効果】
【００２８】
本発明の画像形成体は、出現する潜像画像が階調表現に優れると共に、精彩な画像として表現することができる。連続階調を有する複雑なデザインが採用可能であるため、デザインの制限を受けることがない。
【００２９】
本発明の画像形成体は、光透過性基材にレーザ加工機等の特殊な機械で凹状の線を形成して画像を形成するため、基材自体のコストが低コストであり、レーザ加工機等の特殊な機械で形成するため、偽造防止効果に優れる。表裏に潜像画像の構成を形成することなく、光透過性基材の片面のみで潜像画像の構成を形成するため、従来のような表裏の精密な表裏の位置合せが不要であり、光透過性基材の片面のみの簡易的な製造工程で作製可能となる。
【００３０】
また、潜像画像の出現は、判別具を重ねることなく、潜像画像を形成する画線自体の見え及び隠れではなく、光の屈折を利用しているため、基材を深い角度で傾けなくとも潜像画像が確認できることから、被確認者が容易に真偽判別することができる。また、本発明の画像形成体は、垂直方向から水平方向に徐々に傾けて観察した場合に、潜像画像の明暗が連続的に変化（つまり、潜像画像がポジ画像からネガ画像に変化、ネガ画像からポジ画像に変化）するため、潜像画像の出現の有無及びネガポジの変化の有無によって真偽判別が可能となる。よって、判別具又は特別な真偽判別装置等を用いることなく、誰でもその場で上記効果が得られるか否かによって真偽判別することができる。
【００３１】
本発明の画像形成体を形成する凹状の線は、レーザで作製可能なため、貴重品に個々に異なった情報（可変情報）を形成することができる。
【００３２】
以上のことから、本発明の画像形成体は、真偽判別効果が高く、微細な形状で形成するため複製防止効果を有し、銀行券、有価証券、通行券、パスポート、商品券、カード、商品タグ又はブランドプロテクション等に適用することができる。
【発明を実施するための最良の形態】
【００３３】
本発明を実施するための最良の形態については、図面を用いて説明する。しかしながら、本発明は、以下に述べる実施するための最良の形態に限定されるものではなく、特許請求の範囲記載における技術的思想の範囲内であれば、その他いろいろな実施の形態が含まれる。なお、本明細書に記載される基準線は、実際の画像形成体では形成されるものではなく、本発明を説明する上で用いた用語又は本発明の画像形成体の作製方法において必要な要素である。
【００３４】
（画像形成体）
本発明の構成である所定幅Ｗを有する凹状の線について図１を用いて説明する。図１に示すように、所定幅Ｗを有する凹状の線５は、光透過性基材１ａ又は光透過性基材１ａの裏面に光反射性層１ｂを有する基材１ｃの表面のベースの高さより低く形成される。所定幅Ｗは、光透過性基材１ａの表面に形成される幅のことであり、深さ方向の幅ではない。所定幅Ｗを有する凹状の線５の断面形状は、図１（ａ）に示すように三角形状、図１（ｂ）に示すように台形状、図１（ｃ）に示すように四角形状、図１（ｄ）に示すように蒲鉾状、図１（ｅ）に示すように直角三角形状等が挙げられる。ただし、本発明の構成である凹状の線５の断面形状は、図１（ａ）乃至図（ｅ）に限定されることがなく、例えば、図１（ａ）乃至図１（ｅ）の組み合わせ又はその他の断面形状で形成することもできる。
【００３５】
本発明の画像形成体Ａ１に形成される画像２’について説明する。図２（ａ）に示すように光透過性基材１ａの表面に基準線３ａからレリーフ模様４を有する万線６ａによって画像２’が形成される。レリーフ模様とは、モチーフとなる三次元的な画像（以下、「原画像」という。）を、二次元平面に複数の微細な画線の集合体によって表現した模様である。レリーフ模様４を有する万線６ａは、図２（ａ）の一部拡大断面図である図２（ｂ）に示すように、光透過性基材１ａを非貫通である第１の所定幅Ｗ１を有する凹状の線５ａが、第１の所定間隔Ｐ１、かつ、第１の所定方向Ｘ１に配列される。
【００３６】
図３に示すように、レリーフ模様４を有する万線６ａのレリーフの高さｈは、ｎ段階（ｎは３以上の整数）に変化して形成され、例えば、濃度０〜２５５の原画像に対応した濃度ごとに高さｈが決定される。ｎ段階に変化する高さｈの最大値は、第１の所定間隔Ｐ１−第１の所定幅Ｗ１＞高さｈである必要があり、ｎ段階に変化する高さｈの最小値は０である。なお、最小値０は、規則的に配置されたレリーフ模様を有する凹状の万線を形成するための基準線の位置である。よって、ｎ段階に変化する高さｈの範囲は、第１の所定間隔Ｐ１−第１の所定幅Ｗ１＞高さｈ≧０の関係である必要がある。この範囲内で形成しないと、後述する階調画像の鮮明度が低下する。好ましくはｎ段階に変化する高さｈの最大値は、第１の所定間隔Ｐ１−（第１の所定幅Ｗ１＋第２の所定幅Ｗ２）＞高さｈである必要があり、ｎ段階に変化する高さｈの最小値は０である。また、更に好ましくは各線が重ならないことが望ましい。
【００３７】
また、図４に示すように、レリーフが高さｈでｎ段階に変化する凹状の線５ａ１と、基準線３ａから変化しない凹状の線５ａ２を結合線５ａ３で連結され、結合線５ａ３の角度が、基準線３ａに対して０〜９０°の範囲であることが好ましい。ただし、コンピュータ上での作製を考えた場合、０〜８０°程度となる。また、場合によっては結合線でつながっていなくてもよい。
【００３８】
また、後述する画像形成体を傾けて観察した場合に鮮明に確認できる階調画像の最高濃度領域は、ｎ段階に変化するレリーフの高さｈの最大値であり、最低濃度領域は、ｎ段階に変化するレリーフの高さの最小値であるか、又は画像形成体を傾けて観察した場合に鮮明に確認できる階調画像の最高濃度領域は、ｎ段階に変化するレリーフの高さｈの最小値であり、最低濃度領域は、ｎ段階に変化するレリーフの高さｈの最大値となる。つまり、画像２’の濃淡に従いレリーフの高さｈであるズレを与え、後述するレリーフ模様を有する凹状の万線の線間に、凹状の線が形成されることで画像形成体を傾けて観察した場合に鮮明に階調画像の確認が可能となる。
【００３９】
本発明の画像形成体Ａ１の画像２’を形成する凹状の線５ａ間（非線領域）に形成される凹状の線５ｂからなる万線６ｂについて説明する。図５（ａ）に示すよう光透過性基材１ａの表面に基準線３ｂから万線６ｂによって形成される。万線６ｂの各線は凹状の線５ｂによって形成される。図５（ａ）の一部拡大断面図である図５（ｂ）に示すように凹状の線５ｂは、光透過性基材１ａを非貫通である第２の所定幅Ｗ２を有する凹状の線５ｂが第２の所定間隔Ｐ２、かつ、第２の所定方向Ｘ２に配列される。
【００４０】
このとき、画像２’を形成する凹状の線５ａの第１の所定間隔Ｐ１と、凹状の線５ｂの第２の所定間隔Ｐ２は同一間隔で、さらに、画像２’を形成する凹状の線５ａの第１の所定方向Ｘ１と凹状の線５ｂの第２の所定方向Ｘ２が同一方向である必要がある。つまり、画像２’を形成するために必要な基準線３ａと、凹状の線５ｂから成る万線を形成するために必要な基準線３ｂは同一方向である必要がある。また、凹状の線５ｂの第２の所定幅が、第１の所定間隔−第１の所定幅（数式）以下で形成する必要がある。この範囲内で形成しないと、後述する階調画像の鮮明度が低下する。
【００４１】
上記説明では、基準線３ａに対して０°の角度で凹状の線５ａが形成されているが、本発明はこれに限定されることなく、基準線３ａに対して所定の角度を持って凹状の線５ａを形成することができる。また、基準線３ｂに対して０°の角度で凹状の線５ｂが形成されているが、本発明はこれに限定されることなく、基準線３ｂに対して所定の角度を持って凹状の線５ｂを形成することができる。
【００４２】
光透過性基材１ａに形成される凹状の線５ａの第１の所定幅Ｗ１と、凹状の線５ｂの第２の所定幅Ｗ２の関係が同一又は略同一であることが好ましい。
【００４３】
光透過性基材１ａに形成される凹状の線５ａの第１の所定幅Ｗ１と、凹状の線５ｂの第２の所定幅Ｗ２が３０〜５００μｍで、光透過性基材１ａに形成される凹状の線５ａの第１の所定間隔Ｐ１及び凹状の線５ｂの第２の所定間隔Ｐ２が７０〜２０００μｍの範囲内であることが好ましい。この範囲よりも小さいと作製上困難になり、この範囲よりも大きいと精彩な階調画像を形成するには大きなエリアが必要となる。
【００４４】
本発明の画像形成体Ａ１について説明する。画像形成体Ａ１は、光透過性基材１ａに図２（ａ）に示した画像２’を形成し、画像２’を形成する凹状の線５ａ間に図３（ａ）に示した凹状の線５ｂを形成する。つまり、凹状の線５ａと凹状の線５ｂが交互に配置され、階調画像２が形成される。図６（ａ）に画像形成体Ａ１を示す。また、図６（ｂ）に図６（ａ）の一部拡大断面図を示す。凹状の線５ａ間に形成する凹状の線５ｂの配置位置によっては、後述する階調画像２が視認されるネガポジの順序が入れ替わる場合がある。
【００４５】
図７は、図６（ａ）に示した画像形成体Ａ１に対してＸ１又はＸ２方向から入射角４５°で可視光を入射し、垂直方向から大きく傾けた位置で肉眼で観察した場合の図である。ただし、図６（ａ）に示した入射光がＸ１方向のとき、観察方向はＸ２方向であり、入射光がＸ２方向のとき、観察方向はＸ１方向である。このとき、凹状の線５ａ及び５ｂから生じた影画線５ｃにより、階調画像２を確認することができる。図８（ｂ）は、影画線５ｃが生じる原因を説明した図である。ただし、説明の簡略化のため、光透過性基材１ａ上面での反射光と、光透過性基材１ａ下面での透過光は図面から省略している。図８（ｂ）で示したように、影画線５ｃが生じる主原因の一つは、凹状の線５ａ及び５ｂの表面が荒れている事による光の散乱Ｉｂであり、もう一つの原因は、凹状の線５ａ及び５ｂが水平ではないことによる屈折方向の変化である。これらの原因によって、影画線５ａの部分は周囲と比べて暗く観測される。また、光透過性基材１ａの下面で反射した光を観測する際にも、凹状の線５ａ及び５ｂ表面での屈折並びに散乱の影響を受ける。そのため、図８（ｃ）で示したように、凹状の線５ａ及び５ｂの下に影画線５ｃが入った場合は、重なった部分の影画線５ｃは観測されない。
【００４６】
図９は、図６（ａ）に示した画像形成体Ａ１に対してＸ１又はＸ２方向から入射角４５°の可視光下において、肉眼で垂直方向から水平方向に徐々に傾けて観察した場合の図である。ただし、図６（ａ）に示した入射光がＸ１方向のとき、観察方向はＸ２方向であり、入射光がＸ２方向のとき、観察方向はＸ１方向である。
【００４７】
垂直方向から画像形成体Ａ１を観察した場合は、図１０（ａ）に示すように、凹状の線５ａ及び５ｂは自分自身の影を一部隠す状態になるため、図９（ａ）の様に全体的に一様な明るさで観測される。この画像形成体Ａ１を傾けていくと、図１０（ｂ）に示すように、影画線５ｃが隣の凹状の線と重なり始めるが、重なる面積はレリーフの高さｈに応じて変化する。図１０（ｂ）の重なり状態ではレリーフ高さｈ＝０の部分に対応する影画線が全て隠されており、レリーフ高さｈの値が大きくなるにつれて観測される影画線の面積も大きくなる。その結果、図９（ｂ）に示すように階調画像２が視認される。更に画像形成体Ａ１を傾けると、影画線５ｃと凹状の線５ａ及び５ｂとの重なりは図１０（ｃ）に示すような状態になるため、レリーフ高さｈが最大の部分に対応する影画線が全て隠され、レリーフ高さｈが小さくなるにつれて観測される影画線の面積が大きくなる。その結果、図９（ｃ）に示すようにネガポジ反転した階調画像２が視認される。このようなことから、可視光下において肉眼で垂直方向から水平方向に徐々に傾けて観察した場合に階調画像２は、ポジ画像からネガ画像に連続して徐々に反転する。観察環境によっては、階調画像２はネガ画像からポジ画像に連続して徐々に反転する。
【００４８】
本発明の画像形成体Ａ２について説明する。画像形成体Ａ１で用いた光透過性基材１ａの代わりに、光透過性基材１ａの裏面に光反射性層１ｂを有する基材１ｃを用いて形成する。凹状の線５ａと凹状の線５ｂの関係については画像形成体Ａ１と同様である。図１１（ａ）に画像形成体Ａ２を示す。また、図１１（ｂ）に図１１（ａ）の一部拡大断面図を示す。画像形成体Ａ２は、画像形成体Ａ１と同様な効果を得ることができる。ただし、画像形成体Ａ２に用いた基材１ｃは、光反射性層１ｂが裏面に形成されているため、画像形成体Ａ１で用いた光透過性基材１ａよりも裏面からの反射光が強くなり、画像形成体Ａ１よりも更に明瞭な階調画像２が確認できる。
【００４９】
本発明の画像形成体は、上記説明では階調画像を一つ設けて形成しているが、複数の階調画像を形成することができる。ただし、階調画像の視認性を考慮すると、階調画像は四つ以下であることが好ましい。例えば、図１２に示すように階調画像を２個形成する場合は、図１２（ａ）に示すように第１の基準線３ａ１をＸ方向に、図１２（ｂ）に示すように第２の基準線３ａ２をＹ方向に設け、図１２（ｃ）に示すようにＸ方向とＹ方向のなす角度は９０°とする。図１２（ａ）に示すように第１の基準線３ａ１を基準として凹状の線５ｂが組み込まれた第１の階調画像２ａを形成し、図１２（ｂ）に示すように第２の基準線３ａ２を基準として凹状の線５ｂが組み込まれた第２の階調画像２ｂを形成し、図１２（ａ）に示す凹状の線５ｂが組み込まれた第１の階調画像２ａと、図１２（ｂ）に示す凹状の線５ｂが組み込まれた第２の階調画像２ｂを合成して図１２（ｃ）に示す階調画像２を形成することができる。また、凹状の線５ｂが組み込まれた第１の階調画像２と凹状の線５ｂが組み込まれた第２の階調画像２ｂを合成することなく、光透過性基材の一方の面に凹状の線５ｂが組み込まれた第１の階調画像２ａを設け、他方の面に凹状の線５ｂが組み込まれた第２の階調画像２ｂを設けても良い。ただし、光透過性基材１ａの裏面に光反射性層１ｂを有する基材１ｃを用いる場合は、基材１ｃの表面のみに形成する。なお、第１の階調画像２ａを形成する凹状の万線の配列方向と第２の階調画像２ｂを形成する凹状の万線の配列方向は、異なって形成すれば良い。
【００５０】
さらに、階調画像を４個を形成する場合は、第１の基準線をＸ方向に、第２の基準線をＹ方向に設け、第３の基準線をＸＹ１方向に設け、第４の基準線をＸＹ２方向に設け、Ｘ方向とＹ方向のなす角度は９０°とし、ＸＹ１方向とＸＹ２方向のなす角度は９０°とし、Ｘ方向とＸＹ１方向のなす角度を４５°とし、Ｙ方向とＸＹ２方向のなす角度を４５°とする。第１の基準線を基準として凹状の線が組み込まれた第１の階調画像を形成し、第２の基準線を基準として凹状の線が組み込まれた第２の階調画像を形成し、第３の基準線を基準として凹状の線が組み込まれた第３の階調画像を形成し、第４の基準線を基準として凹状の線が組み込まれた第４の階調画像を形成する。凹状の線が組み込まれた第１の階調画像、凹状の線が組み込まれた第２の階調画像、凹状の線が組み込まれた第３の階調画像及び凹状の線が組み込まれた第４の階調画像を合成して階調画像を形成する。
【００５１】
また、凹状の線が組み込まれた第１の階調画像、凹状の線が組み込まれた第２の階調画像、凹状の線が組み込まれた第３の階調画像及び凹状の線が組み込まれた第４の階調画像を合成することなく、例えば、光透過性基材の一方の面に第１の階調画像、第２の階調画像を設け、他方の面に第３の階調画像、第４の階調画像を設けても良い。ただし、光透過性基材１ａの裏面に光反射性層１ｂを有する基材１ｃを用いる場合は、基材１ｃの表面のみに形成する。
【００５２】
光透過性基材１ａ又は光透過性基材１ａの裏面に光反射性層１ｂを有する基材１ｃに形成される凹状の線５ａ及び凹状の線５ｂは、レーザ加工機で形成することが可能である。レーザの種類は特に限定されるものではないが、炭酸ガスレーザが好ましい。特に問題とはならないが、レーザの熱によって凹状の線のエッジ部に光透過性基材の表面よりも隆起した隆起部が形成される場合がある。光透過性基材１ａ又は光透過性基材１ａの裏面に、光反射性層１ｂを有する基材１ｃの表面に形成される凹状の線５ａ及び凹状の線５ｂの深度は、光反射性基材の厚さによっても異なるが、５０μｍ〜３００μｍ程度が好ましい。
【００５３】
光透過性基材は、透明な基材が好ましいが、光を透過できる基材であれば良く、色彩を有する半透明の基材も使用することができる。材質は、例えば、ＰＥＴ、ポリエチレン、ポリプロピレン、ポリエステル、ナイロンポリウレタン、ポリ塩化ビニル、ポリ酢酸ビニル又はポリアクリル等が用いられる。光反射性基材の厚さは、６０〜３００μｍ程度であることが望ましい。ただし、薄い基材を用いた方が本発明の効果が向上する。
【００５４】
光透過性基材の裏面に光反射性層は、光を反射できる基材であれば特に限定されることはなく、アルミ箔又は金属箔等を用いることができ、ホログラムを用いることで偽造防止効果が向上する。
【００５５】
本発明の階調画像のデザインは、文字、数字、記号、図柄、絵柄、階調を有する画像又は顔画像等、特に限定されることがない。
【００５６】
（画像形成体の作製装置）
画像形成体の作製装置について以下に説明する。図１３に示すように画像形成体の作製装置１１は、画像取得手段１２、基準座標生成手段１３、レリーフ座標変換手段１４、レリーフ階調画像データ生成手段１５、万線データ生成手段１６、合成手段１７及びレーザ加工手段１８から成る。画像取得手段１２、基準座標生成手段１３、レリーフ座標変換手段１４、レリーフ階調画像データ生成手段１５、万線データ生成手段１６及び合成手段１７は、コンピュータ又はワークステーション等で行われる。なお、レリーフ座標変換手段１４で得られるレリーフ座標がそのままレリーフ階調画像データとして用いられる場合は、レリーフ階調画像データ生成手段１５は不要である。
【００５７】
画像取得手段１２は、画像形成体の階調画像２の原画像となる、例えば、濃度値０〜２５５のいずれかが定義された画素の集合体である階調画像データ７を取得する。濃度値０〜２５５のいずれかが定義された画素の集合体である階調画像データでない場合は、取得した画像を画像処理し、濃度値０〜２５５のいずれかが定義された画素の集合体である階調画像データに変換する。画像の取得は、イメージスキャナ、ディジタルカメラ、ハンディータイプリーダ又はカメラ付き携帯電話等で行われる。
【００５８】
基準座標生成手段１３は、基準線の方向及び間隔、レリーフの間隔の方向及び間隔を定義し、基準線及びレリーフの交点から得られる各基準座標Ｑ（０，０）、Ｑ（１，０）、・・・Ｑ（ｍ，ｎ）を生成する。
【００５９】
レリーフ座標変換手段１４は、各基準座標Ｑを階調画像データの画素位置の画素濃度に対応させ、階調画像データの濃度値に関連した位置に基準座標Ｑ（０，０）、Ｑ（１，０）、・・・Ｑ（ｍ，ｎ）をレリーフ座標ｑ（０，０）、ｑ（１，０）、・・・ｑ（ｍ，ｎ）に変換する。このとき、各座標の間隔が狭ければ、レリーフ座標をそのままレリーフ階調画像データとして用いられる。
【００６０】
レリーフ階調画像データ生成手段１５は、レリーフ座標ｑを連結線によって結合してレリーフ階調画像データ８を生成する。なお、レリーフ座標変換手段１４で得られるレリーフ座標がそのままレリーフ階調画像データとして用いられる場合は、レリーフ階調画像データ生成手段１５は不要である。
【００６１】
万線データ生成手段１６は、基準線３と同一の方向及び間隔で万線データを生成する。
【００６２】
合成手段は、レリーフ階調画像データ８と万線データ９を合成し万線レリーフ階調画像データ１０を生成する。
【００６３】
レーザ加工手段は、光透過性基材又は光透過性基材の裏面に光反射性層を有する基材の表面にレリーフ階調画像データ１０を基に凹状の線から成る階調画像を形成し画像形成体を得る。
【００６４】
（画像形成体の作製方法）
画像形成体の作製方法について以下に説明する。図１４に示すように第１の工程は、画像形成体の階調画像２の原画像となる、例えば、濃度値０〜２５５のいずれかが定義された画素の集合体である階調画像データ７を画像取得手段によって取得する。濃度値０〜２５５のいずれかが定義された画素の集合体である階調画像データ７でない場合は、取得した画像を画像処理し、濃度値０〜２５５のいずれかが定義された画素の集合体である階調画像データに変換する。画像の取得は、イメージスキャナ、ディジタルカメラ、ハンディータイプリーダ又はカメラ付き携帯電話等で行われる。図１５（ａ）に原画像となる階調画像データ７を示す。
【００６５】
第２の工程は、基準線の方向及び間隔、レリーフの間隔の方向及び間隔を定義し、基準線及びレリーフの交点から得られる各基準座標Ｑ（０，０）、Ｑ（１， ０）、・・・Ｑ（ｍ，ｎ）を基準座標生成手段によって生成する。図１５（ｂ）に基準線３の方向及び間隔を示す。図１５（ｃ）にレリーフ４の間隔の方向及び間隔を示す。図１６（ａ）に基準線３及びレリーフ４の交点から得られる各基準座標Ｑを示す。
【００６６】
第３の工程は、第２の工程で生成した各基準座標Ｑを第１の工程で取得した階調画像データの画素位置の画素濃度に対応させ、階調画像データの濃度値に関連した位置に基準座標Ｑ（０，０）、Ｑ（１，０）、・・・Ｑ（ｍ，ｎ）をレリーフ座標ｑ（０，０）、ｑ（１，０）、・・・ｑ（ｍ，ｎ）にレリーフ座標変換手段によって変換する。図１５（ｂ）に各基準座標Ｑから変換されたレリーフ座標ｑを示す。このとき、各座標の間隔が狭ければ、レリーフ座標をそのままレリーフ階調画像データとして用いられる。
【００６７】
第４の工程は、第３の工程で取得したレリーフ座標ｑを連結線によって結合してレリーフ階調画像データ８をレリーフ階調画像データ生成手段によって生成する。図１７（ａ）に基準線方向に各基準座標Ｑとレリーフ座標ｑを連結線５ａ３によって結合してレリーフ模様を有する万線６ａを示す。さらに、図１７（ｂ）にレリーフ模様を有する万線６ａを形成し、レリーフ階調画像データ８を示す。なお、レリーフ座標変換手段１４で得られるレリーフ座標がそのままレリーフ階調画像データとして用いられる場合は、レリーフ階調画像データ生成手段１５は不要である。
【００６８】
第５の工程は、基準線３と同一の方向及び間隔で図１８（ａ）に示す万線データ９を万線データ生成手段によって生成する。
【００６９】
第６の工程は、第４の工程で取得したレリーフ階調画像データ８と第４の工程で取得した万線データ９を合成手段によって合成し、図１８（ｂ）に示す万線レリーフ階調画像データ１０を生成する。
【００７０】
第７の工程は、レーザ加工手段によって光透過性基材又は光透過性基材の裏面に、光反射性層を有する基材の表面に第６の工程で生成したレリーフ階調画像データ１０を基に凹状の線から成る階調画像を形成し、画像形成体を得る。
【００７１】
本発明の工程の順序は特に限定されるものではない、ただし、第３の工程は、第１の工程及び第２の工程後の必要があり、第４の工程は第３の工程後の必要があり、第６の工程は、第１乃至第５の工程後の必要があり、第７の工程は第６の工程後の必要がある。
【実施例】
【００７２】
以下、実施例を用いて本発明を更に詳細に説明するが、本発明の内容は、これらの実施例の範囲に限定されるものではない。
【００７３】
（実施例1）
図１９（ａ）に示すようなコンピュータ上に濃度値０〜２５５のいずれかが定義された画素の集合体である階調画像データ７を用意した。次に、図１９（ｂ）に示すように基準線３をＸ方向に、基準線３の間隔を３００μｍに定義し、レリーフ４をＹ方向に、レリーフ４の間隔を４０μｍに定義し、基準線３及びレリーフ４の交点から得られる各基準座標Ｑ（０，０）、Ｑ（１，０）、・・・Ｑ（ｍ，ｎ）を取得した。図１９（ｃ）に示すように各基準座標Ｑを階調画像データ７の画素位置の画素濃度に対応させ、階調画像データ７の濃度値に関連した位置に基準座標Ｑ（０，０）、Ｑ（１，０）、・・・Ｑ（ｍ，ｎ）をレリーフ座標ｑ（０，０）、ｑ（１，０）、・・・ｑ（ｍ，ｎ）に変換した。このとき、Ｘ座標を動かすことなく、Ｙ座標のみ高さｈを動かした。このときの高さｈの範囲は、５０μｍ＞高さｈ≧０の範囲内で作製した。
【００７４】
また、階調画像データの最低濃度領域は、高さｈの最大値とし、最高濃度領域は高さｈの最低値とした。レリーフの高さｈの変化は１００段階とした。図２０（ａ）に示すように、基準線方向に各基準座標Ｑとレリーフ座標ｑを連結線によって結合してレリーフ模様を有する万線６ａを形成し、レリーフ階調画像データ８を得た。さらに、基準線３と同一の方向及び間隔で図２０（ｂ）に示す万線データ９を万線データ生成手段によって生成した。得られたレリーフ階調画像データ８と万線データ９を合成手段によって合成し、図２０（ｃ）に示す万線レリーフ階調画像データ１０を生成した。
【００７５】
図２１に示すように、厚さ約１５０μｍのＰＥＴ基材から成る光透過性基材１ａの表面にレーザ加工機の炭酸ガスレーザを用いて、コンピュータ上で得られた万線レリーフ階調画像データ１０から階調画像２を形成した。階調画像２は、光透過性基材１ａを非貫通である凹状の線５ａによって形成した。凹状の線５ａは、Ｘ方向に凹状の線の幅を約８０μｍ、ピッチ約３００μｍ及び深度約５０μｍで形成し、画像形成体Ｂ１を得た。
【００７６】
得られた画像形成体Ｂ１は、図２２に示すように、画像形成体をＸ１方向又はＸ２方向から可視光下において肉眼で垂直方向から水平方向に徐々に傾けて観察した場合に、階調画像２はポジ画像からネガ画像に連続して徐々に反転して観察できた。
【００７７】
（実施例２）
実施例１で作製した万線レリーフ階調画像データ１０を用いて、厚さ約１５０μｍのＰＥＴ基材から成る光透過性基材の裏面にアルミ蒸着された基材の表面に、レーザ加工機の炭酸ガスレーザによりコンピュータ上で得られた万線レリーフ階調画像データ１０を基として階調画像を形成した。階調画像は、光透過性基材を非貫通である凹状の線によって形成した。凹状の線は、Ｘ方向に凹状の線の幅を約８０μｍ、ピッチ約３００μｍ及び深度約５０μｍで形成し、画像形成体Ｂ２を得た。
【００７８】
得られた画像形成体Ｂ２は、画像形成体をＸ１方向又はＸ２方向から可視光下において肉眼で垂直方向から水平方向に徐々に傾けて観察した場合に、階調画像はポジ画像からネガ画像に連続して徐々に反転して観察できた。
【図面の簡単な説明】
【００７９】
【図１】本発明の光透過性基材１ａに形成される所定幅Ｗを有する凹状の線５の説明図である。
【図２】画像形成体Ａ１に形成される階調画像２及びその一部拡大断面図を示す図である。
【図３】レリーフ模様４のレリーフの高さｈについての説明図である。
【図４】基準線と結合線のなす角度についての説明図である。
【図５】画像形成体Ａ１の階調画像２を形成する凹状の線５ａ間に形成される凹状の線５ｂから成る万線６ｂ及びその一部拡大断面図を示す図である。
【図６】画像形成体Ａ１及びその一部拡大断面図を示す図である。
【図７】画像形成体Ａ１に対してＸ１又はＸ２方向から入射角４５°の可視光下において、入射光とは逆方向、かつ、垂直方向から４５°の方向から肉眼で観察した場合の図である。
【図８】画像形成体Ａ１に各凹状の線に対し、影画線が生じる様子及び影画線が生じる原理を表した図である。
【図９】図６（ａ）に示した画像形成体Ａ１に対してＸ１又はＸ２方向から入射角４５°の可視光下において、肉眼で垂直方向から水平方向に徐々に傾けて観察した場合の図である。
【図１０】図９の一部拡大図を示す図である。
【図１１】画像形成体Ａ２及びその一部拡大断面図を示す図である。
【図１２】複数の階調画像を形成した場合の図である。
【図１３】画像形成体の作製装置を示す図である。
【図１４】画像形成体の作製方法のフロー図である。
【図１５】画像形成体の作製方法のフロー図に伴う説明図である。
【図１６】画像形成体の作製方法のフロー図に伴う説明図である。
【図１７】画像形成体の作製方法のフロー図に伴う説明図である。
【図１８】画像形成体の作製方法のフロー図に伴う説明図である。
【図１９】実施例１の画像形成体を作製する説明図である。
【図２０】実施例１の画像形成体を作製する説明図である。
【図２１】実施例１の画像形成体Ｂ１を示す図である。
【図２２】画像形成体Ｂ１は、画像形成体をＸ１方向又はＸ２方向から可視光下において、肉眼で垂直方向から水平方向に徐々に傾けて観察した場合の図である。
【符号の説明】
【００８０】
１ａ          光透過性基材
１ｂ          光反射性層
１ｃ          光透過性基材１ａの裏面に光反射性層１ｂを有する基材
２            階調画像
２’          画像
２ａ          第１の階調画像
２ｂ          第２の階調画像
３、３ａ、３ｂ          基準線
３ａ１        第１の基準線
３ａ２        第２の基準線
４            レリーフ模様
５、５ａ、５ａ１、５ａ２、５ｂ            凹状の線
５ａ３        結合線
５ｃ          影画線
６、６ａ、６ｂ          万線
６ｃ          万線（影）
７            階調画像データ
８            レリーフ線画階調画像データ
９            万線データ
１０          万線レリーフ階調画像データ
Ａ１、Ａ１、Ｂ１        画像形成体
ｈ、ｈ２、ｈ３          レリーフの高さ
Ｉａ          入射光
Ｉｂ          散乱光
Ｐ１、Ｐ２          所定間隔
Ｑ            各基準座標
Ｗ、Ｗ１、Ｗ２      所定幅
Ｘ１、Ｘ２          所定方向
【図１】
0005146950.tif 000002
【図２】
0005146950.tif 000003
【図３】
0005146950.tif 000004
【図４】
0005146950.tif 000005
【図５】
0005146950.tif 000006
【図６】
0005146950.tif 000007
【図７】
0005146950.tif 000008
【図８】
0005146950.tif 000009
【図９】
0005146950.tif 000010
【図１０】
0005146950.tif 000011
【図１１】
0005146950.tif 000012
【図１２】
0005146950.tif 000013
【図１３】
0005146950.tif 000014
【図１４】
0005146950.tif 000015
【図１５】
0005146950.tif 000016
【図１６】
0005146950.tif 000017
【図１７】
0005146950.tif 000018
【図１８】
0005146950.tif 000019
【図１９】
0005146950.tif 000020
【図２０】
0005146950.tif 000021
【図２１】
0005146950.tif 000022
【図２２】
0005146950.tif 000023